(57)【要約】【課題】従来の空手用グローブを改良する。【解決手段】空手用の練習及び試合に使用する空手用のグローブ本体において、前記空手用グローブ本体の外側表面部を被覆しかつ着脱を自在にするとともに、前記空手用グローブカバーの素材を空手用グローブ本体の表面素材と同質にしかつ表面を青色又は赤色にし該２色のいずれかの空手グローブカバーを空手用グローブ本体に装着し更に各種競大会の試合前にリング場のコーナー別に青色又は赤色のいずれかの空手用識別グローブカバーを空手用グローブ本体の左右２個のグローブに装着して競技をする空手用グローブカバーの提供。【選択図】　図４
2004135771.tif 000002
【特許請求の範囲】
【請求項１】
空手用の練習及び試合に使用する空手用グローブ本体において、前記空手用グローブ本体の外側表面部を被覆しかつ着脱を自在にしたことを特徴とする空手用グローブカバー。
【請求項２】
前項の空手用グローブカバーにおいて、該空手用グローブカバーの素材を空手用グローブ本体の表面素材と同質にしかつ表面を青色又は赤色にし、更に該２色のいずれかの空手グローブカバーを空手用グローブ本体に装着する請求項１記載の空手用グローブカバー。
【請求項３】
請求項１記載の空手用グローブカバーにおいて、該空手用グローブカバーの指先側に指締付バンドを設けかつ手首側に手首締着バンドを設け、該両バンドを介して空手用グローブ本体に所望の空手用識別グローブカバーを締着しかつ空手用グローブ本体を手首に装着する請求項１及び２記載の空手用グローブカバー。
【請求項４】
請求項１記載の空手用グローブカバーにおいて、該空手用グローブカバーに付設されている指締付バンド及び手首締着バンドをゴムバンドにした請求項１及び３記載の空手用グローブカバー。
【請求項５】
請求項１記載の空手用グローブカバーにおいて、各種競大会の試合前にリング場のコーナー別に青色又は赤色のいずれかの空手用識別グローブカバーを空手用グローブ本体の左右２個のグローブに装着して競技をする請求項１乃至４記載の空手用グローブカバー。
【発明の詳細な説明】
【０００１】
【発明に属する技術分野】
本発明は空手等の格闘技用具に関するが、詳しくは空手専用のグローブに関するものである。
【０００２】
【従来の技術】
従来の空手等のボクシング用グローブに関するものとしては、例えば特開昭６０−１６８４７５号の「ボクシング用グローブ」や実用新案登録第３０００４６７号の「ボクシンググローブ」などが開示されている。このうち、特開昭６０−１６８４７５号の発明は、軟質ポリウレタンインケグラルスキンフォームから成り、手関節及び前関領域を管状に取り囲み内側に長手スリットが設けられた部分と握ったこぶしに相応して風船状に形成され内側に指保持部を持った手保関節囲と手関節範囲から前方に僅かに角度をもって出ている親指防御筒部とを有するがボクシング用グローブに関するものであり、その主要な構成は指保持部が指先の全面を覆う密閉したキャップとして形成され、こぶし状に形成された手保関節囲がその親指側に前方内側に傾斜して走る平坦部を平坦部に親指が押した際に正面から見てほぼ円形の風船状輪郭が生ずるように有しているところにある。
【０００３】
すなわち、従来の空手等のボクシンググローブは、図５に示すようにボクシンググローブ本体１１は、手Ｗの４本の指を差し込み指先を保護する指保護部１２と、この指保護部１２が抜けないようにする指締付バンド１５と、このグローブ本体１１が手首からはずれないように止める手首締着バンド１４とから構成されている。手首締着バンド１４にはマジックバンドＡ、Ｂが付設されているので手首締着バンド１４を手首に巻き付けてマジックバンドＡとＢとを重ね合わせれば完全に締め付けることができる。なお、１３はボクシンググローブ本体１１の手Ｗの甲の部分に付設されている甲保護帯である。
【０００４】
【発明が解決しようとする課題】
このような従来から一般的に多用されている空手等のボクシング用グローブは、リング場での練習時又は試合時にはセコンドが青コーナーと赤コーナーとに区分けされているため、常に青色と赤色の２種類のグローブを所持することが義務づけられている。従って、競技者に常時４個（青色２個、赤色２個）のグローブを携帯しなければならず、これがため使用されないグローブを常に所持する必要がある。このような不便さと経済性（無駄なグローブの購入が必要）にも問題のある従来のグローブを改良しようとするところに、本発明が解決しようとする課題を有する。
【０００５】
【課題を解決するための手段】
本発明は上記の如き問題を解決するために開発したものであって、空手用の練習及び試合に使用する空手用のグローブ本体において、前記空手用グローブ本体の外側表面部を被覆しかつ着脱を自在にしたことを特徴とする空手用グローブカバーの提供にあり、また前記の空手用グローブカバーにおいて該空手用グローブカバーの素材を空手用グローブ本体の表面素材と同質にしかつ表面を青色又は赤色にし、更に該２色のいずれかの空手用グローブカバーを空手用グローブ本体に装着する空手用グローブカバーの提供にあり、また前記の空手用グローブカバーにおいて、該空手用グローブカバーの指先側に指締付バンドを設けかつ手首側に手首締着バンドを設け、該両バンドを介して空手用グローブ本体に所望の空手用識別グローブカバーを締着しかつ空手用グローブ本体を手首に装着する空手用グローブカバーの提供にあり、また前記空手用グローブカバーにおいて該空手用グローブカバーに付設されている指締付バンド及び手首締着バンドをゴムバンドにした空手用グローブカバーの提供にあり、更に前記の空手用グローブカバーにおいて各種競大会の試合前にリング場のコーナー別に青色又は赤色のいずれかの空手用識別グローブカバーを空手用グローブ本体の左右２個のグローブに装着して競技をする空手用グローブカバーの提供にある。
【０００６】
【発明の実施の形態】
本発明の実施形態は、空手の練習及び試合に使用する空手用のグローブ本体において、前記空手用グローブ本体の外側表面部を被覆しかつ着脱を自在にしたことを特徴とする空手用グローブカバーであり、また前記空手用グローブカバーにおいて該空手用グローブカバーの素材を空手用グローブ本体の表面素材と同質にしかつ表面を青色又は赤色にし、更に該２色のいずれかの空手用グローブカバーを空手用グローブ本体に装着する空手用グローブカバーであるから、常時２個の空手用グローブ本体と２枚の空手識別グローブカバーを所持するだけで練習にも試合にも対応することができる。
【０００７】
また本発明の実施形態は、空手用グローブカバーにおいて該空手用グローブカバーの指先側に指締付バンドを設けかつ手首側に手首締付バンドを設け、該両バンドを介して空手用グローブ本体に所望の空手用識別グローブカバーを締着しかつ空手用グローブ本体を手首に装着する空手用グローブカバーであり、また前記の空手用グローブカバーにおいて該空手用グローブカバーに付設されている指締付バンド及び手首締着バンドをゴムバンドにした空手用グローブカバーであるから、所望の空手用グローブカバーを手軽にしかもワンタッチで空手用グローブ本体を装着できるので従来の空手用グローブ本体と同様に使用することが可能である。
【０００８】
更に本発明の実施形態は、空手用グローブカバーにおいて各種競大会の試合前にリング場のコーナー別に青色又は赤色のいずれかの空手用識別グローブカバーを空手用グローブ本体の左右２個の空手用グローブに装着して競技をする空手用グローブカバーであるから、常時携帯する空手用グローブ本体は左右の手に付ける２個の空手用グローブ本体だけでよい。
【０００９】
【実施例】
以下、図面に従って本発明からなる空手用のグローブについて説明する。
【００１０】
図１と図２は、本発明の空手用グローブカバーを示したものであり、まず図１に示すように１はその空手用グローブ本体である。空手用グローブ本体１は、基本的には従来の空手用グローブと同様な構成になっている。すなわち、空手用グローブ本体１は、指を保護するための指保護部２と、この指保護部２を手の平と甲とから離脱しないように締め付けるための指締付バンド５と、空手用グローブ本体１を手首に締め付けるための手首締着バンド４とから構成れている。なお、３は手の甲の部分を保護するための甲保護帯であり、ＡとＢは手首締着バンド４に付設されているマジックバンドである。
【００１１】
次に、図２により本発明の空手用ブローブカバーについて説明すれば、この空手用グローブカバーは青色と赤色とを識別できるようにカラーの素材で成型加工されている空手用識別グローブカバー６である。また、この空手用識別グローブカバー６の素材には空手用グローブ本体１の表面加工されている素材と同質のものが用いられている。このように空手用グローブ本体１と同型・同質の空手用識別グローブカバー６を一体成型されたならば、空手用ググローブ本体１の指保持部２に十文字リング状の指締付バンド５を取り付けてある。一方、手首側にはマジックバンドＡ・Ｂ付の手首締着バンド４が取り付けてある。また空手用識別グローブカバー６の手首側の表側には締付バンド７が付設してあり、この締付バンド７により空手用識別グローブカバー６と空手用グローブ本体１とを離脱しないように締め付けられている。なお、図３は本発明からなる空手用識別グローブカバー６の他の実施例を示したものである。すなわち、本図の空手用識別グローブカバー２１の特徴は、前記実施例に示した空手用グローブ本体１の指締付バンド５と手首締着バンド４に替えてゴムバンド２２を取り付けたものである。図中２３はマジックバンドである。
【００１２】
更に、図４により本発明からなる空手用グローブカバーの使用方法について説明する。まず図２に示すように空手用グローブ本体１に所望色彩の空手用識別グローブカバー６を装着し、ついで空手用グローブ本体１の指保護部２に親指を除く４本の指を指保護部２に差し込み指締付バンド５を締め付ける。一方、手Ｗを図のような状態にしてから手首締着バンド４で手首に巻き付けてマジックバンドＡ・Ｂとで完全に締め付ける。このようにして片方の手に空手用グローブ本体１に空手用識別グローブカバー６が装着されたならば、更に片方の手Ｗにも同様にして同色の空手用識別グローブカバー６付の空手用グローブ本体１を取り付ける。
【００１３】
次にコーナー（青と赤）が変更になったならば、空手用グローブ本体１をそのままの状態でもって空手用識別グローブカバー６（青又は赤）を空手用グローブ本体１からワンタッチで取りはずして色ちがいの空手用識別グローブカバー６（青又は赤）をワンタッチで装着する。この装着操作によって、従来方式のようにいちいち他の色（青又は赤）の空手用グローブ本体１を取り替える必要がなくなった。
【００１４】
【発明の効果】
本発明は、空手用の練習及び試合に使用する空手用グローブ本体において、前記空手用グローブ本体の外側表面部を被覆しかつ着脱を自在にしたことを特徴とする空手用グローブカバーであり、また前記の空手用グローブカバーにおいて該空手用グローブカバーの素材を空手用グローブ本体の表面素材と同質にしかつ表面を青色又は赤色にし、更に該２色のいずれかの空手用グローブカバーを空手用グローブ本体に装着する空手用グローブカバーであり、また前記の空手用グローブカバーにおいて、該空手用グローブカバーの指先側に指締付バンドを設けかつ手首側に手首締着バンドを設け、該両バンドを介して空手用グローブ本体に所望の空手用識別グローブカバーを締着しかつ空手用グローブ本体を手首に装着する空手用グローブカバーであり、また前記の空手用グローブカバーにおいて該空手用グローブカバーに付設されている指締付バンド及び手首締着バンドをゴムバンドにした空手用グローブカバーであり、更に前記の空手用グローブカバーにおいて各種競大会の試合前にリング場のコーナー別に青色又は赤色のいずれかの空手用識別グローブカバーを空手用グローブ本体の左右２個のグローブに装着して競技をする空手用グローブカバーであるから、次のような多くの効果を有する。
ア、本発明のような空手用グローブにすることによって、従来のように常時２種（青色と赤色）の空手用グローブを所持する必要がないので、持ち搬びや携帯
には非常に便利である。
イ、また常時携帯する空手用グローブが２個でよいので、手軽であるばかりか経
済的にも非常に富んでいるものといえる。
ウ、また本発明からなる空手用ブカバーが空手用グローブ本体と同型・同質素材から構成されているので、空手用グローブカバーを空手用グローブ本体に装着して使用されても何らの異和感もなく空手用グローブ本体だけの練習にも試合
にも何らの悪い影響を及ぼすことがない。
エ、更に本発明の空手用グローブカバーがいたって簡便で手軽に取り扱うことが可能であるから、練習時や競技大会などの試合の際にも競技をさまたげるよう
な何らの支障を期たすものではない。
【００１５】
オ、更に本発明の空手用グローブカバーが安価で量産することが可能となるの
で、実用性や市場性に優れているものといえる。
【図面の簡単な説明】
【図１】本発明からなる空手用のグローブを示した斜視図。
【図２】図１に示した空手用グローブと空手用グローブカバーの装着及び分解図。
【図３】本発明の空手用グローブカバーの他の実施例を示した斜視図。
【図４】本発明の空手用グローブの使用状態を示した説明斜視図。
【図５】従来の空手用グローブを示した説明斜視図。
【符号の説明】
１　空手用グローブ本体　　　　　　　２、１２　指保護部
３、１３　甲保護部　　　　　　　　　４、１４　手首締着バンド
５、１５　指締付バンド　　　　　　　６、２１　空手用識別グローブカバー
１１　ボクシングブローブ本体
７　締付ハンド　　　　　　　　　　　２２　ゴムバンド
Ａ、Ｂ、Ｃ、Ｄ、Ｅ　マジックバンド
【図１】
2004135771.tif 000003
【図２】
2004135771.tif 000004
【図３】
2004135771.tif 000005
【図４】
2004135771.tif 000006
【図５】
2004135771.tif 000007